(57)【要約】【課題】羽根車の主板部分を洗浄でき、エンドユーザーのお掃除性が向上したレンジフードを提供する。【解決手段】羽根車４に向かって洗浄液５を噴射するノズル６と、ノズル６から噴射された洗浄液５にブレード３３および油捕集機構部３４を浸漬させるための洗浄ケーシング８と、洗浄ケーシング８に接続された開閉弁９と、羽根車４の吸込口に連通する開口１０ａを有するパネル１０とを備えたレンジフードであって、ケーシング前面板８ａはパネル１０と側板３２との間に設けられ、ノズル給液部６ａはポンプ７と接続され、ノズル本体部６ｂはケーシング前面板８ａとパネル１０との間に設けられ、ノズル噴射部６ｃから噴射された洗浄液５が羽根車４の主板３１に当たるように、ノズル噴射部６ｃを設けるという構成にしたことにより、羽根車４の主板３１を洗浄できるレンジフードを得られる。【選択図】図１
2018054136.tif 000002
【特許請求の範囲】
【請求項１】
電動機と、
主板と側板とブレードにて構成され、前記電動機に接続された羽根車と、
前記ブレードに固定された油捕集機構部と、
前記羽根車に向かって洗浄液を噴射するノズルと、
前記ノズルに洗浄液を供給するポンプと、
前記ノズルから噴射された洗浄液に前記ブレードおよび前記油捕集機構部を浸漬させるための洗浄ケーシングと、
前記洗浄ケーシングに接続され、洗浄液を貯排する開閉弁と、
前記羽根車の吸込口に連通する開口を有するパネルとを備え、
前記開閉弁を閉じて洗浄液を貯め、前記羽根車と前記油捕集機構部を洗浄するレンジフードであって、
前記洗浄ケーシングはケーシング前面板とスクロール板とケーシング後面板とを含み、前記ケーシング前面板は前記パネルと前記側板との間に設けられ、
前記ノズルはノズル給液部とノズル本体部とノズル噴射部とを含み、前記ノズル給液部は前記ポンプと接続され、前記ノズル本体部は前記ノズル給液部と前記ノズル噴射部とを接続し、
前記ノズル本体部は前記ケーシング前面板と前記パネルとの間に設けられ、
前記ノズル噴射部から噴射された洗浄液が前記羽根車の前記主板に当たるように、前記ノズル噴射部が設けられたことを特徴とするレンジフード。
【請求項２】
前記パネルの前記開口の縁部にオリフィス部材を備え、
前記オリフィス部材は一部を切り欠いた切欠き部を有し、
前記ノズル本体部は前記切欠き部を通り、
前記ノズル噴射部は前記オリフィス部材よりも内側に配置されることを特徴とする請求項１に記載のレンジフード。
【請求項３】
前記パネルの前記開口の縁部にオリフィス部材を備え、
前記ノズル噴射部は前記オリフィス部材よりも外側に配置されることを特徴とする請求項１に記載のレンジフード。
【請求項４】
前記羽根車の前記主板は、第１平坦部と傾斜部と第２平坦部とを含み、
傾斜する前記傾斜部は前記第１平坦部と前記第２平坦部とを接続し、
前記第２平坦部は前記電動機に接続され、
前記ノズル噴射部から噴射される洗浄液が前記傾斜部に当たるように、前記ノズル噴射部が設置されたことを特徴とする請求項１〜３の何れか１項に記載のレンジフード。
【請求項５】
前記ノズル噴射部から噴射される洗浄液が前記第２平坦部近傍において前記傾斜部に当たるように、前記ノズル噴射部が設置されたことを特徴とする請求項４に記載のレンジフード。
【請求項６】
前記ケーシング前面板よりも前記パネル側における前記ノズル本体部の面が前記パネルの面と同一平面に設置されたことを特徴とする請求項１〜５の何れか１項に記載のレンジフード。
【請求項７】
前記ノズル噴射部は、前記ケーシング前面板よりも前記パネルの反対側に設置されたことを特徴とする請求項１〜６の何れか１項に記載のレンジフード。
【発明の詳細な説明】
【技術分野】
【０００１】
本発明は、レンジフードに取り付ける羽根車の汚れ除去に関するものである。
【背景技術】
【０００２】
従来、この種のレンジフードは、調理で発生する油煙や埃等を捕集する目的としてフィルターが取り付けられているものが知られている（例えば、特許文献１参照）。
【０００３】
以下、そのレンジフードについて図６を参照しながら説明する。
【０００４】
図６は、特許文献１に開示されている従来のレンジフード１００の構成図である。油等の汚れを含む空気１０１は、吸込口１０２を通過して排気装置１０３の前方に配置されたフィルター１０４を通過する。センサー１０６がフィルター１０４の汚れを検知すると、駆動装置１０５がフィルター１０４を回転させて、汚れを遠心力で除去する。
【０００５】
また、この種のレンジフードには、調理で発生する油煙や埃等を捕集する目的としてフィルターを取り付け、そこのフィルターを洗浄液に浸漬させて洗浄するものもある（例えば、特許文献２参照）。
【０００６】
以下、そのレンジフードについて図７を参照しながら説明する。
【０００７】
図７は、特許文献２に開示されている他の従来のレンジフード２００の構成図である。
【０００８】
レンジフード２００は、吸込口２０１とファン２０２との間に設けられるフィルター２０３を備える。フィルター２０３は、略水平に延びる回転軸２０４で回転できる。フィルター２０３の回転軸２０４より下方の部分が、洗浄タンク２０６に収容された洗浄液２０５に浸漬される。フィルター２０３の回転軸２０４より上方の部分には、油、埃等の汚れを含む空気が通過してその汚れが付着している。フィルター２０３を回転軸２０４で回転させることで、汚れが付着した部分を回転軸２０４より下方に位置させて洗浄液２０５に浸漬させて洗浄する。
【先行技術文献】
【特許文献】
【０００９】
【特許文献１】特開平３−１６４６３９号公報
【特許文献２】特開平６−１３７６３０号公報
【発明の概要】
【発明が解決しようとする課題】
【００１０】
このような従来のレンジフードにおいては、羽根車の主板部分まで洗浄することが困難であり、エンドユーザーのお掃除が困難という課題を有していた。
【００１１】
そこで本発明は、上記従来の課題を解決するものであり、羽根車の主板部分を洗浄でき、エンドユーザーのお掃除性が向上したレンジフードを提供することを目的とする。
【課題を解決するための手段】
【００１２】
そして、この目的を達成するために、本発明の一態様に係るレンジフードは、電動機と、主板と側板とブレードにて構成され、前記電動機に接続された羽根車と、前記ブレードに固定された油捕集機構部と、前記羽根車に向かって洗浄液を噴射するノズルと、前記ノズルに洗浄液を供給するポンプと、前記ノズルから噴射された洗浄液に前記ブレードおよび前記油捕集機構部を浸漬させるための洗浄ケーシングと、前記洗浄ケーシングに接続され、洗浄液を貯排する開閉弁と、前記羽根車の吸込口に連通する開口を有するパネルとを備え、前記開閉弁を閉じて洗浄液を貯め、前記羽根車と前記油捕集機構部を洗浄するレンジフードであって、前記洗浄ケーシングはケーシング前面板とスクロール板とケーシング後面板とを含み、前記ケーシング前面板は前記パネルと前記側板との間に設けられ、前記ノズルはノズル給液部とノズル本体部とノズル噴射部とを含み、前記ノズル給液部は前記ポンプと接続され、前記ノズル本体部は前記ノズル給液部と前記ノズル噴射部とを接続し、前記ノズル本体部は前記ケーシング前面板と前記パネルとの間に設けられ、前記ノズル噴射部から噴射された洗浄液が前記羽根車の前記主板に当たるように、前記ノズル噴射部が設けられたものであり、これにより所期の目的を達成するものである。
【発明の効果】
【００１３】
本発明によれば、羽根車の主板部分を洗浄できるため、お掃除性を向上したレンジフードを提供できる。
【図面の簡単な説明】
【００１４】
【図１】本発明の実施の形態１のレンジフードの側面断面を示す構成図
【図２】（ａ）同レンジフードの羽根車の側面断面を示す構成図、（ｂ）同レンジフードの羽根車の斜視図
【図３】本発明の実施の形態１のレンジフードの洗浄ケーシング周辺を示す構成図
【図４】本発明の実施の形態２のレンジフードの洗浄ケーシング周辺を示す構成図
【図５】本発明の実施の形態３のレンジフードの洗浄ケーシング周辺を示す構成図
【図６】従来のレンジフードを示す側面構成図
【図７】従来のレンジフードを示す側面構成図
【発明を実施するための形態】
【００１５】
本発明の一態様に係るレンジフードは、電動機と、主板と側板とブレードにて構成され、前記電動機に接続された羽根車と、前記ブレードに固定された油捕集機構部と、前記羽根車に向かって洗浄液を噴射するノズルと、前記ノズルに洗浄液を供給するポンプと、前記ノズルから噴射された洗浄液に前記ブレードおよび前記油捕集機構部を浸漬させるための洗浄ケーシングと、前記洗浄ケーシングに接続され、洗浄液を貯排する開閉弁と、前記羽根車の吸込口に連通する開口を有するパネルとを備え、前記開閉弁を閉じて洗浄液を貯め、前記羽根車と前記油捕集機構部を洗浄するレンジフードであって、前記洗浄ケーシングはケーシング前面板とスクロール板とケーシング後面板とを含み、前記ケーシング前面板は前記パネルと前記側板との間に設けられ、前記ノズルはノズル給液部とノズル本体部とノズル噴射部とを含み、前記ノズル給液部は前記ポンプと接続され、前記ノズル本体部は前記ノズル給液部と前記ノズル噴射部とを接続し、前記ノズル本体部は前記ケーシング前面板と前記パネルとの間に設けられ、前記ノズル噴射部から噴射された洗浄液が前記羽根車の前記主板に当たるように、前記ノズル噴射部が設けられた、という構成を有する。
【００１６】
これにより、羽根車の主板に当たるように洗浄液を噴射できるため、羽根車の主板部分を洗浄でき、レンジフードのお掃除性が向上するという効果を奏する。また、パネルにノズルが突出しないようにできるため、パネルをフラットに近い形状（凹凸の少ない形状）にすることが可能となり、パネルのお掃除性を向上させることも可能である。
【００１７】
以下、本発明の実施の形態について図面を参照しながら説明する。
（実施の形態１）
図１、図２、図３に示すようにレンジフードは、ガスやＩＨ等の調理器１の上方に箱体の本体２を設ける。
【００１８】
本体２の上部１８には開口１９を設け、開口１９に洗浄ケーシング８の吹出口２０を接続する。
【００１９】
開口１９にアダプター１６をねじ（図示せず）等で接続する。
【００２０】
アダプター１６にダクト１７を接続する。
【００２１】
本体２は、下部に逆椀形状１１を有する。逆椀形状１１の内側に方形状の整流板１２を設け、逆椀形状１１と整流板１２との間の周囲に吸込口１３を設ける。
【００２２】
本体２の内部に電動機３と、電動機３に接続された羽根車４を設ける。
【００２３】
羽根車４は、主板３１と側板３２とブレード３３にて構成され、ブレード３３に固定された油捕集機構部３４を有する。
【００２４】
羽根車４に向かって水などの洗浄液５を噴射するノズル６を設ける。
【００２５】
ノズル６に洗浄液５を供給するポンプ７をチューブ等にて接続する。
【００２６】
洗浄液５は給水トレイ２３に貯められ、ポンプ７とチューブ等で接続される。
【００２７】
ノズル６から噴射された洗浄液５にブレード３３および油捕集機構部３４を浸漬させるための洗浄ケーシング８を設ける。
【００２８】
洗浄ケーシング８には、洗浄液５を貯排する開閉弁９を有する。
【００２９】
開閉弁９の下方に排水トレイ２２を設け、排水された洗浄液５を受ける。
【００３０】
羽根車４の吸込口に連通する開口１０ａを有するパネル１０を備え、パネル１０は本体２と接続されている。
【００３１】
開閉弁９を閉じて洗浄液５を貯めることで、羽根車４と油捕集機構部３４を洗浄することができる。
【００３２】
洗浄ケーシング８はケーシング前面板８ａとスクロール板８ｂとケーシング後面板８ｃとを含んでいる。
【００３３】
ケーシング前面板８ａはパネル１０と側板３２との間に設ける。
【００３４】
ノズル６はノズル給液部６ａとノズル本体部６ｂとノズル噴射部６ｃとを含んでいる。
【００３５】
ノズル給液部６ａはポンプ７とチューブ等で接続され、ノズル本体部６ｂはノズル給液部６ａとノズル噴射部６ｃとを接続している。
【００３６】
ノズル本体部６ｂはケーシング前面板８ａとパネル１０との間に設ける。
【００３７】
次に、このような構成を有するレンジフードの換気動作（排気動作）を説明する。
【００３８】
電動機３に接続された羽根車４の回転により、油煙１４や埃１５は吸込口１３から吸い込まれる。
【００３９】
吸込口１３から吸い込まれた油煙１４は、本体２内部を通って羽根車４へ向かって進む。
【００４０】
油煙１４は、羽根車４の内部に吸い込まれて円周方向へ吹き出す。
【００４１】
油煙１４は、洗浄ケーシング８の内側に沿って流れ、アダプター１６を通過しダクト１７に沿って流れ屋外へ排出される。
【００４２】
次に、羽根車４の洗浄について補足する。
【００４３】
羽根車４には油捕集機構部３４が設けられているため、油煙１４等を含んだ空気が羽根車４を通過する際、油や埃が捕集される。油や埃は油捕集機構部３４に捕集されるが、ブレード３３や主板３１にも付着する。埃の場合は羽根車４で遮断され、例えば、電気的に付着して羽根車４に残ることもある。
【００４４】
本実施形態のレンジフードは、ノズル６から噴射された洗浄液５が洗浄ケーシング８に溜まることにより、ブレード３３および油捕集機構部３４を洗浄液５に浸して洗浄することができる。
【００４５】
特に、ノズル噴射部６ｃから噴射された洗浄液５が主板３１に当たるように構成されている。これにより、主板３１に付着した油などの汚れも効果的に洗浄することができる。
【００４６】
次に、パネル１０のお掃除性について説明する。
【００４７】
本実施形態のレンジフードのノズル本体部６ｂはケーシング前面板８ａとパネル１０との間に設けられている。
【００４８】
本実施形態とは異なり、ノズル本体部６ｂがパネル１０の手前側（パネル１０に対してケーシング前面板８ａの反対側）に設けられる場合は、パネル１０にノズル６を通す孔等を設ける必要があり、パネル１０をフラットに近い形状（凹凸の少ない形状）にし難くなる。
【００４９】
一方、本実施形態では、ノズル本体部６ｂがパネル１０の奥側（パネル１０に対してケーシング前面板８ａ側）に配置されることとなる。このため、パネル１０にノズル６が突出しないようにできるため、パネル１０をフラットに近い形状（凹凸の少ない形状）にすることが可能となり、パネル１０のお掃除性（掃除し易さ）を向上させることも可能となる。
【００５０】
また、図３に示すように、パネル１０の開口１０ａの縁部にオリフィス部材２１を備え、オリフィス部材２１は一部を切り欠いた切欠き部４１を有しても良い。この場合、ノズル本体部６ｂは切欠き部４１を通り、ノズル噴射部６ｃはオリフィス部材２１よりも内側に配置される。
【００５１】
これにより、切欠き部４１を設けない場合と比較して、オリフィス部材２１の径を大きくとることができるため、換気風量を増加させることができる。
【００５２】
また、図２に示すように、羽根車４の主板３１は、第１平坦部３１ａと傾斜部３１ｂと第２平坦部３１ｃとを含む構成にしてもよい。この場合、傾斜する傾斜部３１ｂは第１平坦部３１ａと第２平坦部３１ｃとを接続される。第２平坦部３１ｃは電動機３に接続される。そして、ノズル噴射部６ｃから噴射される洗浄液５が傾斜部３１ｂに当たるように、ノズル噴射部６ｃが設置されるという構成にしてもよい。
【００５３】
これにより、汚れを削ぎ落とすように洗浄液５が傾斜部３１ｂに噴射され、より効果的に羽根車４の主板３１を洗浄することができる。
【００５４】
さらに、ノズル噴射部６ｃから噴射される洗浄液５が第２平坦部３１ｃ近傍において傾斜部３１ｂに当たるように、ノズル噴射部６ｃが設置されるという構成にしてもよい。
【００５５】
これにより、汚れを削ぎ落とすように洗浄液５が第２平坦部３１ｃ近傍の傾斜部３１ｂに噴射され、より効果的に羽根車４の主板３１を洗浄することができる。
【００５６】
また、ノズル噴射部６ｃは、ケーシング前面板８ａよりもパネル１０の反対側に設けてもよい。すなわち、ノズル噴射部６ｃは、ケーシング前面板８ａよりも奥側（ケーシング前面板８ａに対して羽根車４側）に設けてもよい。
【００５７】
これにより、主板３１により近い位置においてノズル噴射部６ｃから洗浄液５を噴射できるため、羽根車４の主板３１部分をさらに効果的に洗浄できる。
（実施の形態２）
図４において、図１、図２および図３と同様の構成要素については同一の符号を付し、その詳細な説明は省略する。
【００５８】
図４は洗浄ケーシング８とノズル６とパネル１０の位置関係を示す。
【００５９】
図４において、パネル１０の開口１０ａの縁部にはオリフィス部材２１を備える。
【００６０】
ノズル噴射部６ｃはオリフィス部材２１よりも外側に設けられている。
【００６１】
これにより、オリフィス部材２１にノズル６が突出（或いは貫通）していないため、オリフィス部材２１に不必要な凹凸を設けなくてもよい。このため、オリフィス部材２１を含めたレンジフードのお掃除性をさらに向上できる。
（実施の形態３）
図５において、図１、図２および図３と同様の構成要素については同一の符号を付し、その詳細な説明は省略する。
【００６２】
図５は洗浄ケーシング８とノズル６とパネル１０の位置関係を示す。
【００６３】
図５において、ケーシング前面板８ａよりもパネル１０側におけるノズル本体部６ｂの面は、パネル１０の面と同一平面に設置されている。
【００６４】
これにより、パネル１０と本体正面２４（図１）との間の空間をより広くすることができ、換気風量を増加させ、換気能力を向上することができる。
【００６５】
以下、実施の形態１〜３について、補足する。
【００６６】
本発明の一態様に係るレンジフードは、電動機３と、主板３１と側板３２とブレード３３にて構成され、電動機３に接続された羽根車４と、ブレード３３に固定された油捕集機構部３４と、羽根車４に向かって洗浄液５を噴射するノズル６と、ノズル６に洗浄液５を供給するポンプ７と、ノズル６から噴射された洗浄液５にブレード３３および油捕集機構部３４を浸漬させるための洗浄ケーシング８と、洗浄ケーシング８に接続され、洗浄液を貯排する開閉弁９と、羽根車４の吸込口に連通する開口１０ａを有するパネル１０とを備え、開閉弁９を閉じて洗浄液５を貯め、羽根車４と油捕集機構部３４を洗浄するレンジフードであって、洗浄ケーシング８はケーシング前面板８ａとスクロール板８ｂとケーシング後面板８ｃとを含み、ケーシング前面板８ａはパネル１０と側板３２との間に設けられ、ノズル６はノズル給液部６ａとノズル本体部６ｂとノズル噴射部６ｃとを含み、ノズル給液部６ａはポンプ７と接続され、ノズル本体部６ｂはノズル給液部６ａとノズル噴射部６ｃとを接続し、ノズル本体部６ｂはケーシング前面板８ａとパネル１０との間に設けられ、ノズル噴射部６ｃから噴射された洗浄液５が羽根車４の主板３１に当たるように、ノズル噴射部６ｃが設けられた、という構成を有する。
【００６７】
これにより、羽根車４の主板３１に当たるように洗浄液を噴射できるため、羽根車の主板３１部分を洗浄でき、レンジフードのお掃除性が向上するという効果を奏する。また、パネル１０にノズル６が突出しないようにできるため、パネル１０をフラットに近い形状（凹凸の少ない形状）にすることが可能となり、パネル１０のお掃除性を向上させることも可能である。
【００６８】
また、パネル１０の開口１０ａの縁部にオリフィス部材２１を備え、オリフィス部材２１は一部を切り欠いた切欠き部４１を有し、ノズル本体部６ｂは切欠き部４１を通り、ノズル噴射部６ｃはオリフィス部材２１よりも内側に配置されるという構成にしてもよい。
【００６９】
これにより、切欠き部がない場合と比較してオリフィス部材２１の径を大きくとることができるため、換気風量を増加させ、換気能力を向上することができる。
【００７０】
また、パネルの開口の縁部にオリフィス部材２１を備え、ノズル噴射部６ｃはオリフィス部材２１よりも外側に配置されるという構成にしてもよい。
【００７１】
これにより、オリフィス部材２１にノズル６が突出（或いは貫通）していないため、オリフィス部材２１に不必要な凹凸を設けなくてもよい。このため、オリフィス部材２１を含めたレンジフードのお掃除性をさらに向上できる。
【００７２】
また、羽根車４の主板３１は、第１平坦部３１ａと傾斜部３１ｂと第２平坦部３１ｃとを含み、傾斜する傾斜部３１ｂは第１平坦部３１ａと第２平坦部３１ｃとを接続し、第２平坦部３１ｃは電動機３に接続され、ノズル噴射部６ｃから噴射される洗浄液５が傾斜部３１ｂに当たるように、ノズル噴射部６ｃが設置されるという構成にしてもよい。
【００７３】
これにより、汚れを削ぎ落とすように洗浄液５が傾斜部３１ｂに噴射されるため、より効果的に羽根車４の主板３１部分を洗浄できる。
【００７４】
また、ノズル噴射部６ｃから噴射される洗浄液５が第２平坦部３１ｃ近傍において傾斜部３１ｂに当たるように、ノズル噴射部６ｃが設置されるという構成にしてもよい。
【００７５】
これにより、汚れを削ぎ落とすように洗浄液５が第２平坦部３１ｃ近傍の傾斜部３１ｂに噴射されるため、より効果的に羽根車４の主板３１部分を洗浄できる。
【００７６】
また、ケーシング前面板８ａよりもパネル１０側におけるノズル本体部６ｂの面がパネル１０の面と同一平面に設置されるという構成にしてもよい。
【００７７】
これにより、パネル１０と本体正面２４との間の空間をより広くすることができ、換気風量を増加させ、換気能力を向上することができる。
【００７８】
また、ノズル噴射部６ｃは、ケーシング前面板８ａよりもパネル１０の反対側に設置されるという構成にしてもよい。
【００７９】
これにより、主板３１により近い位置においてノズル噴射部６ｃから洗浄液５を噴射できるため、羽根車４の主板３１部分をさらに効果的に洗浄できる。
【産業上の利用可能性】
【００８０】
本発明に係るレンジフードは、羽根車の主板の洗浄を可能とするものであるので、羽根車の掃除が必要な換気装置等にも適用することができる。
【符号の説明】
【００８１】
１    調理器
２    本体
３    電動機
４    羽根車
５    洗浄液
６    ノズル
６ａ    ノズル給液部
６ｂ    ノズル本体部
６ｃ    ノズル噴射部
７    ポンプ
８    洗浄ケーシング
８ａ    ケーシング前面板
８ｂ    スクロール板
８ｃ    ケーシング後面板
９    開閉弁
１０    パネル
１０ａ    開口
１１    逆椀形状
１２    整流板
１３    吸込口
１４    油煙
１５    埃
１６    アダプター
１７    ダクト
１８    上部
１９    開口
２０    吹出口
２１    オリフィス部材
２２    排水トレイ
２３    給水トレイ
２４    本体正面
３１    主板
３１ａ    第１平坦部
３１ｂ    傾斜部
３１ｃ    第２平坦部
３２    側板
３３    ブレード
３４    油捕集機構部
４１    切欠き部
【図１】
2018054136.tif 000003
【図２】
2018054136.tif 000004
【図３】
2018054136.tif 000005
【図４】
2018054136.tif 000006
【図５】
2018054136.tif 000007
【図６】
2018054136.tif 000008
【図７】
2018054136.tif 000009